(57)【要約】【課題】  簡単にメールサーバの機能状態を把握することができるメールサーバ状態監視システム及びセンタ側パソコンとメールサーバ状態監視方法を提供する。【解決手段】  センタ側パソコン１１と、センタ側メールサーバ１２とを備え、扱うサイトに存在しないメールアドレスへのメールを受信すると自動的に送信元へエラーメールを返信するメールサーバ２の状態を監視するメールサーバ状態監視システムにおいて、センタ側パソコン１１は、メール送受信プログラム１２とメール着信監視プログラム１３とを有しており、監視対象メールサーバ２が扱うサイトに存在しないメールアドレスにメールを送信し、送信メールに対するエラーメールの受信の有無で監視対象メールサーバ２の異常か否かを判断する。【選択図】        図１
2007011649.tif 000002
【特許請求の範囲】
【請求項１】
センタ側パソコンと、センタ側メールサーバとを備え、監視対象側サイトのメールサーバが該メールサーバに存在しないメールアドレスへのメールを受信すると自動的に送信元へエラーメールを返信するメールサーバの状態を監視するメールサーバ状態監視システムにおいて、
前記センタ側パソコンは、メール送受信プログラムとメール着信監視プログラムとを有しており、監視対象メールサーバに存在しないメールアドレスにメールを送信し、送信メールに対するエラーメールの受信の有無で監視対象メールサーバの異常か否かを判断することを特徴とするメールサーバ状態監視システム。
【請求項２】
請求項１記載のメールサーバ状態監視システムにおいて、
前記メール着信監視プログラムは、メールの着信時間間隔を監視し、メールが送信されてから一定時間内にエラーメールが受信されないと、アラートを発信することを特徴とするメールサーバ状態監視システム。
【請求項３】
監視対象側サイトのメールサーバが該メールサーバに存在しないメールアドレスへのメールを受信すると自動的に送信元へエラーメールを返信するメールサーバの状態を監視するセンタ側パソコンにおいて、
メール送受信プログラムとメール着信監視プログラムとを有しており、監視対象側サイトのメールサーバが該メールサーバに存在しないメールアドレスにメールを送信し、送信メールに対するエラーメールの受信の有無で監視対象メールサーバの異常か否かを判断することを特徴とするセンタ側パソコン。
【請求項４】
監視対象側サイトのメールサーバが該メールサーバに存在しないメールアドレスへのメールを受信すると自動的に送信元へエラーメールを返信するメールサーバの状態を監視するメールサーバ状態監視方法において、
メール送受信プログラムとメール着信監視プログラムとを有するセンタ側パソコンを使用して、監視対象メールサーバに存在しないメールアドレスにメールを送信し、送信メールに対するエラーメールの受信の有無で監視対象メールサーバの異常か否かを判断することを特徴とするメールサーバ状態監視方法。
【発明の詳細な説明】
【技術分野】
【０００１】
本発明は、メールサーバ状態監視システム及びセンタ側パソコンとメールサーバ状態監視方法であり、特にエラーメールの自動返信機能を活用したメールサーバの状態監視に関する。
【背景技術】
【０００２】
従来、メールの送受信を管理するメールサーバの状態監視として、ＰＩＮＧを用いた監視やプロセス監視の方法が一般的であるが、これらの方法が正常であっても、メールサーバの送受信が機能していないことがあり、メールサーバの機能状態を把握することができないことがあった。
【発明の開示】
【発明が解決しようとする課題】
【０００３】
本発明は、従来の問題を解決するものであり、簡単にメールサーバの機能状態を把握することができるメールサーバ状態監視システム及びセンタ側パソコンとメールサーバ状態監視方法を提供することを目的とする。
【課題を解決するための手段】
【０００４】
本発明は、センタ側パソコンと、センタ側メールサーバとを備え、監視対象側サイトのメールサーバが該メールサーバに存在しないメールアドレスへのメールを受信すると自動的に送信元へエラーメールを返信するメールサーバの状態を監視するメールサーバ状態監視システムにおいて、前記センタ側パソコンは、メール送受信プログラムとメール着信監視プログラムとを有しており、監視対象メールサーバが扱うサイトに存在しないメールアドレスにメールを送信し、送信メールに対するエラーメールの受信の有無で監視対象メールサーバの異常か否かを判断するメールサーバ状態監視システムである。
【０００５】
また、本発明は、前記メール着信監視プログラムは、メールの着信時間間隔を監視し、メールが送信されてから一定時間内にエラーメールが受信されないと、アラートを発信するメールサーバ状態監視システムである。
【０００６】
そして、本発明は、監視対象側サイトのメールサーバが該メールサーバに存在しないメールアドレスへのメールを受信すると自動的に送信元へエラーメールを返信するメールサーバの状態を監視するセンタ側パソコンにおいて、メール送受信プログラムとメール着信監視プログラムとを有しており、監視対象側サイトのメールサーバが該メールサーバに存在しないメールアドレスにメールを送信し、送信メールに対するエラーメールの受信の有無で監視対象メールサーバの異常か否かを判断するセンタ側パソコンである。
【０００７】
更に、本発明は、監視対象側サイトのメールサーバが該メールサーバに存在しないメールアドレスへのメールを受信すると自動的に送信元へエラーメールを返信するメールサーバの状態を監視するメールサーバ状態監視方法において、メール送受信プログラムとメール着信監視プログラムとを有するセンタ側パソコンを使用して、監視対象メールサーバに存在しないメールアドレスにメールを送信し、送信メールに対するエラーメールの受信の有無で監視対象メールサーバの異常か否かを判断するメールサーバ状態監視方法である。
【発明の効果】
【０００８】
本発明によれば、簡単なシステム構成でメールサーバの機能状態を把握することができるメールサーバ状態監視システム及びセンタ側パソコンとメールサーバ状態監視方法を得ることができる。
【発明を実施するための最良の形態】
【０００９】
本発明を実施するための最良の形態を説明する。
本発明のメールサーバ状態監視システム及びセンタ側パソコンとメールサーバ状態監視方法の実施例について、図面を用いて説明する。
【００１０】
実施例１を説明する。本実施例のメールサーバ状態監視システムは、図１に示すように、センタ側クライアントＰＣ（パソコン）１１と、センタ側メールサーバ１４と、ネットワーク１５とからなり、インターネット３を介して監視対象メールサーバ２と接続される。監視対象メールサーバ２は、メールサーバ２に存在するメールアドレスへのメールを受信すると、該当するメールアドレスにそのメールを配信し、メールサーバ２に存在しないメールアドレスへのメールを受信すると、送信元へエラーメールを返信する。
【００１１】
センタ側監視側クライアントＰＣ１１は、メール送受信プログラム１２とメール着信監視プログラム１３を有しており、監視対象メールサーバ２に存在しないメールアドレスへのメールを送信することができる。監視対象メールサーバ２の状態が正常であるとき、送信したメールに対するエラーメールが返信されてくるが、監視対象メールサーバ２の状態が異常であるとき、送信したメールに対するエラーメールは返信されてこない。そして、メール着信監視プログラム１３はメールの着信時間間隔を監視しているため、メールサーバ２に存在しないメールアドレスへのメールを送信してから一定時間内にエラーメールを受信しないとき、監視対象メールサーバ２の状態が異常、又は監視対象メールサーバ２とセンタ側クライアントＰＣ１１間で異常が発生した可能性が高く、監視側クライアントＰＣ１１はアラートを発信する。これにより、センタの保守作業員は、監視対象メールサーバ２が異常、又は監視対象メールサーバ２とセンタ側クライアントＰＣ１１間で異常が発生したことがわかり、障害個所の切分けなどの復旧作業を開始する。
【００１２】
本実施例のメールサーバ状態監視システムによる監視対象メールサーバの状態監視の手順の一例について、図２を用いて説明する。まず、スタートし（Ｓ１００）、監視の開始時刻、終了時刻、メール送信の時間間隔、受信時間間隔などを設定する（Ｓ１０１）。そして、監視をスタートする（Ｓ１０２）。監視の終了時刻かを判断し（Ｓ１０３）、終了時刻であれば終了となる（Ｓ１３１）。終了時刻でなければ、メール送受信プログラムを用いてメール送信する（Ｓ１１１）。設定した受信時間間隔後までにエラーメールを受信したかを判断し（Ｓ１１２）、受信したらステップＳ１０３に戻り、受信しなければアラートを発信し（Ｓ１２１）、ステップＳ１０３に戻る。このようにして、監視対象メールサーバの状態監視を行うことができる。
【図面の簡単な説明】
【００１３】
【図１】実施例のメールサーバ状態監視システムの説明図。
【図２】実施例のメールサーバ状態監視システムにおける状態監視の手順の一例の説明図。
【符号の説明】
【００１４】
１１  センタ側クライアントＰＣ
１２  センタ側メールサーバ
１３  ネットワーク
２  監視対象メールサーバ
３  インターネット
【図１】
2007011649.tif 000003
【図２】
2007011649.tif 000004